(57)【要約】【課題】  ワープ導入口から導入される遊技球の制御を行い、遊技性及び遊具として安定した動作を継続し得るように構成した遊技機を提供する。【解決手段】  パチンコ機１では、センター飾り１２が、ワープ導入口３２と遊技球ステージＳとの間にて、ワープ導入口３２から導入される遊技球Ｂａのルートを振り分けるための振り分け装置２５を備え、遊技球案内部９７は、ワープ導入口３２から導入された遊技球Ｂａを鉛直方向ｖ１に落下させる落下通路９８と、該落下通路９８を落下した遊技球Ｂａを受け止めそして第１クルーン３３に送り出す傾斜案内面５８と、落下通路９８を落下する遊技球Ｂａの後側を、当該遊技球Ｂａの傾斜案内面５８への到達直前に当接させつつ傾斜案内面５８に押し出す押出部材９６と、押出部材９６に当接した際の遊技球Ｂａの前側を落下通路９８から放出する放出口５６とを備える。【選択図】      図１５
2006122276.tif 000002
【特許請求の範囲】
【請求項１】
ワープ導入口、及び主に該ワープ導入口から導入された遊技球を受ける遊技球ステージを有するユニット役物と、前記遊技球ステージの下方に位置して上方に開口する入賞口とを遊技領域に備える遊技機であって、
前記ユニット役物は、前記ワープ導入口と前記遊技球ステージとの間にて、前記ワープ導入口から遊技球案内部を介して送られる遊技球を、前記入賞口への入賞確率が相互に異なる複数のルートに振り分けるためのクルーン部材を有する振り分け装置を備え、
前記遊技球案内部は、前記ワープ導入口から導入された遊技球を鉛直方向に落下させる落下通路と、該落下通路を落下した遊技球を受け止めそして前記クルーン部材に送り出す案内面と、前記落下通路を落下する遊技球の後側を、当該遊技球の前記案内面への到達直前に当接させつつ前記案内面に押し出す押出部材と、前記押出部材に当接した際の落下遊技球の前側を前記落下通路から開放する開放部とを備える、
ことを特徴とする遊技機。
【請求項２】
前記落下通路は、少なくとも前記遊技領域の奥行き方向での幅寸法が前記ワープ導入口から導入された遊技球の直径と略々等しく設定されてなる、
ことを特徴とする請求項１に記載の遊技機。
【請求項３】
前記押出部材は、前記落下通路の長手方向において全体的に厚みが等しい板状部材である、
ことを特徴とする請求項１又は２に記載の遊技機。
【請求項４】
前記押出部材は、前記落下通路の長手方向に沿って段階的に厚みが厚くなる階段状板部材である、
ことを特徴とする請求項１又は２に記載の遊技機。
【発明の詳細な説明】
【技術分野】
【０００１】
本発明は、パチンコ機等の遊技機に係り、詳しくは、センター飾り等のユニット役物に導入された遊技球の流れを演出性豊かになるように改善した遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行なわれると共に所定数の遊技球が払い出され、当該抽選の結果に応じて、遊技盤の中央部分に設けられた液晶等の図柄表示装置の画面上で所定の演出表示が行なわれる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ導入口から入球した遊技球を始動チャッカー側に導くように転動させる遊技球ステージを備えたものが存在する（例えば、特許文献２参照）。
【０００５】
近年、上記のような遊技球ステージを有するパチンコ機にあって、当該ステージにおける所定の位置に球導入口を形成しておき、ワープ導入口から入球した遊技球の一部が上記球導入口への対応位置に偶然的に転動して該球導入口に落下した際、当該遊技球を略１００％の確率で始動チャッカーに入球し得るように案内する構成を備えたものも存在する（例えば、特許文献３参照）。
【０００６】
【特許文献１】特開２００３−２３６２１０号公報
【特許文献２】特開２００１−３２７６７２号公報
【特許文献３】特開２０００−５１４４８号公報
【発明の開示】
【発明が解決しようとする課題】
【０００７】
しかし、上記特許文献３に記載されるようなパチンコ機が有する一般的なセンター飾りには、例えば、ワープ導入口から導入された遊技球を傾斜通路を経由してクルーンに導き、遊技球をこのクルーンで或るルートに振り分けて、その後の遊技を展開するように構成した役物が存在する。このような役物を有するパチンコ機にあっては、ワープ導入口から入球された遊技球が、ワープ導入口と役物との高低差に応じた落下速度や転動速度が加わりながら移動することとなる。
【０００８】
上記のように移動した遊技球は、前述の高低差から生じる速度が加わったままの状態で役物や遊技球ステージ等に導かれると、その速度が過剰となる場合があり、役物や遊技球ステージ等の演出動作の限界を超える虞が生じ、各演出の機能に従った動作を安定して行ない難くなり、遊技者の興趣を著しく損なうものとなっていた。
【０００９】
また、前述したような高低差のある移動を遊技球に行わせる際には、略鉛直方向に転動落下させると共に、遊技球１つが漸く通過可能な案内路を用いることで、複数の遊技球を同じ役物に同時に導入させないようにするものがある。このような案内路の放出口には、種々の形状のものが存在するが、従来形状のこれらによると複数の遊技球が前後に並んだ状態で案内路の出口に集中した際に、後続する遊技球が先行の遊技球より出口側に被さってこれを押圧することで、当該先行遊技球が放出口から放出されず、球つまりを生じる虞があった。
【００１０】
そこで本発明は、ワープ導入口から導入される遊技球の制御を行い、遊技性を向上させると共に、球つまりを回避して遊具としての安定した動作を実現し得るように構成し、もって上述した課題を解決した遊技機を提供することを目的とするものである。
【課題を解決するための手段】
【００１１】
請求項１に係る本発明は（例えば図１ないし図１６参照）、ワープ導入口（３２）、及び主に該ワープ導入口（３２）から導入された遊技球（Ｂａ）を受ける遊技球ステージ（Ｓ）を有するユニット役物（１２）と、前記遊技球ステージ（Ｓ）の下方に位置して上方に開口する入賞口（１６）とを遊技領域（７ａ）に備える遊技機（１）であって、
前記ユニット役物（１２）は、前記ワープ導入口（３２）と前記遊技球ステージ（Ｓ）との間にて、前記ワープ導入口（３２）から遊技球案内部（９７）を介して送られる遊技球（Ｂａ）を、前記入賞口（１６）への入賞確率が相互に異なる複数のルートに振り分けるためのクルーン部材（３３）を有する振り分け装置（２５）を備え、
前記遊技球案内部（９７）は、前記ワープ導入口（３２）から導入された遊技球（Ｂａ）を鉛直方向（ｖ１）に落下させる落下通路（９８）と、該落下通路（９８）を落下した遊技球（Ｂａ）を受け止めそして前記クルーン部材（３３）に送り出す案内面（５８）と、前記落下通路（９８）を落下する遊技球（Ｂａ）の後側を、当該遊技球（Ｂａ）の前記案内面（５８）への到達直前に当接させつつ前記案内面（５８）に押し出す押出部材（９６）と、前記押出部材（９６）に当接した際の落下遊技球（Ｂａ）の前側を前記落下通路（９８）から開放する開放部（５６）とを備える、
ことを特徴とする遊技機（１）にある。
【００１２】
なお、本発明における「ワープ導入」という語句は、遊技領域に打ち出された遊技球を、当該遊技領域における比較的下側に位置する道釘等を経ることなく、始動入賞口等の入賞口の上に導くことを意味する概念である。そして、上記「道釘」とは、遊技領域において始動入賞口等の入賞口の上部左右に打ち込まれた複数本の障害釘の列を意味するもので、上方から転動落下してきた遊技球を始動入賞口等の入賞口の方向に導く役割を担っている。
【００１３】
なお、本発明における上記「クルーン」という語句は、底面が曲面状に形成され、かつこの底面に複数個の表裏貫通孔を備え、底面上に転動されてきた遊技球を引き続き転動させつつ、貫通孔のいずれかに落下させる役物を意味している。
【００１４】
また、本発明に係る遊技機は、始動入賞口への入賞を契機とした大当たり抽選に当選した際に、通常は閉塞しているアタッカーを開放させ、所定時間が経過した時点又は所定個数の遊技球がアタッカーに入賞した時点で閉塞させる動作を所定ラウンド数だけ繰り返し行う構成の第１種特別電動役物と、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時点で大当たりを発生させる構成の第２種特別電動役物と、遊技領域に備えた所謂オープンチャッカーへの入賞時に開放した電動式チューリップへの入球後の特定入賞口への入賞にて大当たりの権利を発生させる構成の第３種特別電動役物とに適用可能であるが、本発明における上記「入賞口」は、第１種及び第２種特別電動役物にあっては上記「始動入賞口」に対応し、また第３種特別電動役物にあっては上記「オープンチャッカー」に対応する。
【００１５】
請求項２に係る本発明は（例えば図１０ないし図１６参照）、前記落下通路（９８）が、少なくとも前記遊技領域（７ａ）の奥行き方向での幅寸法（ｂ）が前記ワープ導入口（３２）から導入された遊技球（Ｂａ）の直径（ｄ）と略々等しく設定されてなる、
ことを特徴とする請求項１に記載の遊技機（１）にある。
【００１６】
請求項３に係る本発明は（例えば図１０ないし図１５参照）、前記押出部材が、前記落下通路（９８）の長手方向において全体的に厚みが等しい板状部材（９６）である、
ことを特徴とする請求項１又は２に記載の遊技機（１）にある。
【００１７】
請求項４に係る本発明は（例えば図１０ないし図１６参照）、前記押出部材が、前記落下通路（９８）の長手方向に沿って段階的に厚みが厚くなる階段状板部材（１０２）である、
ことを特徴とする請求項１又は２に記載の遊技機（１）にある。
【発明の効果】
【００１８】
請求項１に係る本発明によると、ユニット役物が、ワープ導入口と遊技球ステージとの間にて、ワープ導入口から遊技球案内部を介して送られる遊技球を、入賞口への入賞確率が相互に異なる複数のルートに振り分けるためのクルーン部材を有する振り分け装置を備え、遊技球案内部は、ワープ導入口から導入された遊技球を鉛直方向に落下させる落下通路と、該落下通路を落下した遊技球を受け止めそしてクルーン部材に送り出す案内面と、落下通路を落下する遊技球の後側を、当該遊技球の案内面への到達直前に当接させつつ案内面に押し出す押出部材と、押出部材に当接した際の落下遊技球の前側を落下通路から開放する開放部とを備えるので、ワープ導入口から導入される遊技球の落下速度を押出部材に当接させることで抑制することができるようになる。これにより、クルーン部材に対して遊技球が必要以上の速度で供給されることでクルーン部材上での転動動作が不安定になることを防止し、遊技者の集中力を欠くことなく興趣の高い遊技を提供しかつ継続させることができるようになる。
【００１９】
また、ワープ導入口から導入されて落下通路を落下してくる遊技球は、落下通路の奥行き方向に対してその奥側が押出部材に当接することによって手前側に押し出され、手前側に設けられた開放部から開放される。これにより、遊技球は、落下してきた順に押出部材によって押し出されつつ開放部から開放されるため、複数の遊技球が前後に並んだ状態で開放部に集中した場合にあっても球つまりを起こすことがなく、遊技の進行に影響を及ぼすことがなくなる。
【００２０】
請求項２に係る本発明によると、落下通路が、少なくとも遊技領域の奥行き方向での幅寸法がワープ導入口から導入された遊技球の直径と略々等しく設定されてなるので、落下してくる遊技球が確実に押出部材に当接することにより、遊技球の落下速度が抑制され、適度な速度でクルーン部材に導入されるようになり、クルーン部材の機能に従った動作をさせることができるようになる。
【００２１】
請求項３に係る本発明によると、押出部材が、落下通路の長手方向において全体的に厚みが等しい板状部材であるので、落下してくる遊技球が確実に押出部材に当接するため、遊技球の落下速度が確実に抑制され、適度な速度でクルーン部材に導入されるようになり、クルーン部材の機能に従った動作をさせることができるようになる。
【００２２】
請求項４に係る本発明によると、押出部材が、落下通路の長手方向に沿って段階的に厚みが厚くなる階段状板部材であるので、落下してくる遊技球が押出部材の階段状部分に段階的にかつ確実に当接し、更に落下通路の手前側に設けられた開放部から遊技球が開放され易くなる。これにより、遊技球の落下速度を徐々に抑制できると共に遊技球がクルーン部材に順次円滑に適度な速度で送り出され、クルーン部材の機能に従った動作をさせることができるようになる。このため、遊技者の集中力を欠くことなく興趣の高い遊技を実現しかつ継続させることができるようになる。
【発明を実施するための最良の形態】
【００２３】
以下、本発明に係る遊技機の実施形態として、遊技場等に設置されるパチンコ機を図１ないし図１６に沿って説明する。なお、本実施の形態では、本発明の遊技機を所謂第１種特別電動役物のパチンコ機として述べるが、本発明はこれに限らず、所謂第２種特別電動役物や所謂第３種特別電動役物のパチンコ機にも適用可能であることは勿論である。
【００２４】
図１は本発明に係る実施の形態におけるパチンコ機（遊技機）の外部構造を示す正面図、図２は当該パチンコ機に搭載されたセンター飾り（ユニット役物）を単体で示す斜視図、図３は当該センター飾りを示す正面図、図４は図３に示したセンター飾りを同図A-A線に沿って切断して上方から見た状態で示す平面図、図５は振り分け装置の詳細な構造を示す分解斜視図、図６はセンター飾りに備えた振り分け装置のクルーンを拡大して示す斜視図、図７は図６のクルーンを上方から見た状態で示す平面図、図８はクルーンの側面断面図、図９はクルーンの変形例を示す斜視図、図１０は遊技球案内部を有するセンター飾りの分解斜視図、図１１はセンター飾りに備えた遊技球案内部を拡大して示す正面図、図１２はセンター飾りに備えた遊技球案内部を拡大して示す斜視図、図１３はセンター飾りに備えた遊技球案内部を遊技球が通過している状態を拡大して示す正面図、図１４はセンター飾りに備えた遊技球案内部を遊技球が通過している状態を拡大して示す斜視図、図１５は落下通路に備えた押出部材を示す断面図、図１６は落下通路に備えた押出部材の変形例を示す断面図である。
【００２５】
パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー１７（図１参照）に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２６】
図１に示すように、本実施形態におけるパチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００２７】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００２８】
また、前扉３における上皿１３の下方には下皿１５が配置されており、該下皿１５の右部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。なお、図１中の符号１０は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００２９】
遊技領域７ａには、遊技球ステージＳを有するセンター飾り１２が中央部分に配設されている。センター飾り１２の下部左右には、大当たり抽選に寄与しない一般の入賞が行なわれる入賞口２９，３０が配設されており、センター飾り１２の下方には、入賞口としての始動チャッカー１６と、大入賞口としてのアタッカー１７とが順次配設されている。
【００３０】
センター飾り１２の中央部分には開口１１が形成されており、遊技盤７には、この開口１１から露出するように図柄表示装置６が設けられている。センター飾り１２は、図柄表示装置６の右側に振り分け装置２５を備えており、この振り分け装置２５は、上下２段に重なるように、つまり上下方向（鉛直方向）に重なる形で夫々視認可能に配置された第１クルーン（クルーン部材）３３と第２クルーン３４とを備えている。上記始動チャッカー１６は、開放位置と閉止位置とに開閉動作するように、不図示のソレノイドによって作動させられる。なお、始動チャッカー１６の直上方には、所謂命釘としての一対の障害釘７０が打ち込まれている。
【００３１】
上記「クルーン」という語句は、底面が曲面状に形成され、且つこの底面に複数個の表裏貫通孔を備え、底面上に転動されてきた遊技球を引き続き転動させつつ、貫通孔のいずれかに落下させる役物を意味する。
【００３２】
始動チャッカー１６には、大当たり抽選実行の契機となり得る入賞が行なわれる。また、アタッカー１７は、大当たり発生時に開放され、遊技盤７の遊技領域７ａに打ち出されて転動落下する遊技球Ｂａを入賞させる。アタッカー１７は、大当たり発生中、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３３】
更に、遊技領域７ａには、図柄表示装置６の左上方に風車４４が配設されており、図柄表示装置６の下方における始動チャッカー１６の左右には、スルーゲート６１ａ，６１ｂが配設されている。これらスルーゲート６１ａ，６１ｂは、始動チャッカー１６を開閉動作させるための抽選の契機となる遊技球通過が行なわれる役物である。
【００３４】
そして、遊技領域７ａにおけるスルーゲート６１ａ，６１ｂ、入賞口２９，３０及び始動チャッカー１６等の周囲には、遊技球ステージＳから零れた遊技球や、発射されてから遊技球ステージＳに関与せずに落下してくる遊技球を適宜散らし、或いは入球に導くようにするための障害釘５４を含む多数の障害釘が打ち込まれている。また、遊技球ステージＳにおけるワープ導入口３２の周囲及びその上方側にも、遊技球を適宜散らし、或いは入球に導くようにするための障害釘２８を含む多数の障害釘が打ち込まれている。このような本パチンコ機１では、遊技領域７に打ち出された遊技球Ｂａを始動チャッカー１６等に、遊技球ステージＳを介して入球させ又は遊技球ステージＳを介さず直接入球させ得るように遊技が進められる。
【００３５】
なお、本実施形態における「ワープ導入」という語句は、遊技領域７ａに打ち出された遊技球を、当該遊技領域７ａの比較的下側に位置する不図示の道釘等を経ることなく、始動チャッカー１６の上に導くことを意味する概念である。また、上記「道釘」とは、遊技領域７ａにおいて始動チャッカー１６左右に打ち込まれた複数本の障害釘（図示せず）の列を意味するもので、上方から転動落下してきた遊技球を始動チャッカー１６方向に導く役割を担っている。
【００３６】
次に、センター飾り１２について図２ないし図４を参照して説明する。
【００３７】
すなわち、図２ないし図４に示すように、センター飾り１２は、上記開口１１を中央部に有する略筒状の枠体１２ａを備えており、枠体１２ａの周囲には、その複数箇所から外方に張り出すようにブラケット部２７が形成されている。各ブラケット部２７には、夫々枠体１２ａを遊技盤７に埋め込んだ形でネジ止めするために表裏貫通した孔２７ａが形成されている。
【００３８】
枠体１２ａは、その上部中央にワープ導入口３２を有しており、このワープ導入口３２から図の右下方に次第に細くなるように湾曲する形状の稲妻模様３１を有している。また、枠体１２ａ下部におけるブラケット部２７には、遊技球ステージＳの所定部位に連通する球放出口５３が形成されており、この球放出口５３は、始動チャッカー１６の直上方に位置して、放出する遊技球Ｂａが一対の障害釘７０の間を通って始動チャッカー１６にほぼ確実に（つまり、９７〜９９％の確率で）入賞し得るように構成されている。
【００３９】
センター飾り１２は更に、開口１１の右方に、ワープ導入口３２と遊技球ステージＳとの間に配置されて、ワープ導入口３２から導入された遊技球Ｂａの進路を振り分ける振り分け装置２５を備えている。遊技球ステージＳは、振り分け装置２５にて振り分けられた高確率入賞ルートの遊技球Ｂａを始動チャッカー１６に比較的高い確率（９７〜９９％(つまり、略１００％)）で入賞させ得る第１のステージＳ１と、振り分け装置２５にて振り分けられた低確率入賞ルートの遊技球Ｂａを始動チャッカー１６に比較的低い確率（０〜９６％、より好ましくは３５〜４５％）で入賞させ得る第２のステージＳ２とを備えている。なお、振り分け装置２５によって振り分けられるルートには、第１のステージＳ１及び第２のステージＳ２へのルート以外に、第２クルーン３４から落下した際に遊技球ステージＳの外方に放出されるルートも含まれる。
【００４０】
遊技球ステージＳ、即ち第１のステージＳ１及び第２のステージＳ２は夫々、左右に比較的長尺に延在する平坦面として形成されると共に、同図右方から左方に向かって下降するように傾斜して並列状に形成されている。つまり、第１及び第２のステージＳ１，Ｓ２は、同図右方（一側）から遊技球ステージＳの左右幅方向の左方（他側）に向かって徐々に下降するように傾斜して形成されている。この傾斜の角度θ（図３参照）は、２〜５゜の範囲内で適宜設定することができるが、４゜に設定することが、遊技球Ｂａの転がり状態を円滑にする上で好ましい。
【００４１】
また、遊技球ステージＳ、即ち第１のステージＳ１及び第２のステージＳ２は夫々、遊技機本体の奥側から手前側に向かって徐々に下降するように傾斜する遊技球転動面として構成されている。この傾斜角度は、２〜５゜の範囲で適宜設定することができるが、パチンコ機１全体の所謂ネカセ（通常は後方側に１゜傾斜）に鑑み、５゜に設定することが、遊技球Ｂａの転がり状態を円滑にする上で好ましい。つまり、奥側から手前側への傾斜が５゜の場合、ネカセ分の１゜が減算されて４゜となり、最良の傾斜状態が得られることになる。
【００４２】
第１のステージＳ１は、同図の右側に配置された振り分け装置２５から送られた遊技球Ｂａを図の右方から左方に向かって転動させる平坦状の転動面７１と、該転動面７１の奥側及び手前側の２面を区画する側壁４１，４２と、転動面７１の最後部、つまり傾斜に沿った最も低い部分に、転動移動してきた遊技球Ｂａを全て球放出口５３に導く球導入口４５とを備えている。側壁４１，４２の転動面７１側を向く内面には、発光ダイオード（以下、ＬＥＤと言う）が埋め込まれており、その照射光が転動面７１を適時照明することとなる。第１のステージＳ１における上記転動面７１は、遊技球Ｂａを１個ずつ転動案内できる程度の奥行き幅に構成されている。互いに対向して立設された側壁４１，４２の内面には、第１のステージＳ１の長手方向に沿って互い違いに（つまり千鳥状に）配置された転動速度抑制用の複数の突部４３が形成されている。
【００４３】
第２のステージＳ２は、同図の右側に配置された振り分け装置２５から送られた遊技球Ｂａを図の右方から左方に向かって転動させる平坦状の転動面７２と、該転動面７２の奥側及び手前側の２面を区画する側壁４２，７３と、転動面７２の最後部の一側部に形成されて放出口５３に連通する球導入口４９とを備えている。つまり、この球導入口４９は、第２ステージＳ２においての傾斜に沿った最も低い部分に、転動移動してきた複数の遊技球Ｂａのうちの一部を球放出口５３に導くように設けられている。球導入口４９の周囲には、転動面７２の左方への更なる転動移動を阻止して球導入口４９への落下を確実にさせるための保護枠５０が形成されている。
【００４４】
第２のステージＳ２における上記転動面７２は、遊技球Ｂａを複数個ずつ転動案内できるような、第１のステージＳ１より広い奥行き幅（約３倍）に構成されている。互いに対向して立設された側壁４２，７３の内面には、第２のステージＳ２の長手方向に沿って互い違いに（つまり千鳥状に）配置された転動速度抑制用の複数の突部４６が形成されている。また転動面７２には、振り分け装置２５側における遊技者側（図の手前側）から落下案内溝５２に向かって順に千鳥状に位置する９個の凸部４７が設けられている。凸部４７の当該個数は９個に限定されることはなく、必要に応じて設計時に適宜変更され得るものである。
【００４５】
上記複数個の凸部４７では、最後部の凸部４７Ａに対する遊技球Ｂａの方向や強さを含む弾接状況に応じて、球導入口４９への入球度合いが変わる。複数の凸部４７は、夫々透明材料からなり、球面状に上方に突出する形状を呈すると共に、各中心部４７ａは、転動面７２内に埋め込まれたＬＥＤからの光を上方に向けて射出するように形成される。
【００４６】
なお、上記透明材料の「透明」という語句は、濁りなく完全に透き通る状態のみならず、内方のＬＥＤから問題無く光照射させ得る全ての状態を含む概念である。
【００４７】
ところで、第２のステージＳ２の最も左側の位置には、図１に示すスルーゲート６１ａの上方に位置するように位置決めされた落下案内溝５２が形成されている。この落下案内溝５２は、遊技球ステージＳの前後方向（紙面手前−奥方向）に延在するように形成されており、第２のステージＳ２の転動面７２を転動してきて球導入口４９に入球できなかった遊技球Ｂａをステージ前方側に案内できるように、奥側から手前側に向かって徐々に下降するように傾斜して形成されている。
【００４８】
一方、振り分け装置２５は、図２及び図３の上方から見た平面視（図４参照）において重なるように上下２段に配置された第１及び第２クルーン３３，３４を備えている。上方に位置する第１クルーン３３側には、ワープ導入口３２から導入されて、上記稲妻模様３１内の案内溝７４（図３参照）を転動移動した後、垂直方向案内溝６７（図３参照）を通って落下する遊技球Ｂａを放出する放出口（開放部）５６が設けられている。
【００４９】
第１クルーン３３には、放出口５６から放出された遊技球Ｂａを、裏面に固定された案内樋６２を介して下方の第２クルーン３４側に落下させるための貫通孔３５と、裏面に固定された案内樋６３を介して第２クルーン３４の下部側の排出口６６に放出するための貫通孔３６とが、センター飾り１２の左右方向（つまり、図１ないし図４における左右方向）に並んで配置されている。なお、図３中の符号７５は、演出用の照明装置を示している。
【００５０】
また、下方に位置する第２クルーン３４側には、上方の第１クルーン３３から案内樋６２を介して放出口５７から放出された遊技球Ｂａを、裏面に固定された案内樋６４を介して第１ステージＳ１に導入するための貫通孔３７と、裏面に固定された案内樋６５を介して、第２のステージＳ２の右前端部の当接部材５１の振り分け部５１ａに落下させるための貫通孔３８とが、センター飾り１２の左右方向（つまり、図１ないし図４における左右方向）に並んで配置されている。
【００５１】
上記当接部材５１は、図２及び図３に示すように、第２のステージＳ２の転動面７２に対して平行に（つまり水平に）延在する上記振り分け部５１ａと、転動面７２から振り分け装置２５の外方側（図２右方向）に所定角度で立ち上がるように延在する加速用弾接面５１ｂとを備えている。加速用弾接面５１ｂの上記所定角度は、第２クルーン３４の貫通孔３８を経由して直上方から落下してくる遊技球Ｂａを第２のステージＳ２側に効果的に加速して弾くことができる角度、つまり４０〜５０゜の範囲内で適宜設定することができる。
【００５２】
そして、図２に示すように、放出口５６から第１クルーン３３に至るまでの経路には、同図の左方に向かって下降するように傾斜する傾斜案内面（案内面）５８が形成されている。また、放出口５７から第２クルーン３４に至るまでの経路にも、同様の形状を有する傾斜案内面が形成されている。
【００５３】
ここで、上記振り分け装置２５の詳細な構造について図５に沿って説明する。同図に示すように、振り分け装置２５は、第１及び第２クルーン３３，３４等を前後方向（図５の左右方向）から挟み込んでセンター飾り１２の本体側に支持すると共に、照明装置３９の外郭をなす前枠８３ａ及び後枠８３ｂを備えている。
【００５４】
前枠８３ａには、上下方向に射出窓４０が多数配列されており、当該上下方向の中段及び下段の位置に夫々、第１クルーン３３の前側を覆った形で支持する第１カバー部材８０と、第２クルーン３４の前側を覆った形で支持する第２カバー部材８１とが前枠８３ａの本体と一体に設けられている。
【００５５】
第１クルーン３３及び第２クルーン３４双方の下面には夫々、球受け部材Ｒ１，Ｒ２が固定されている。球受け部材Ｒ１は、上述した案内樋６２及び案内樋６３を一体に有しており、これら案内樋６２，６３は夫々、遊技球案内溝６２ａ，６３ａを有している。球受け部材Ｒ２は、上述した案内樋６４及び案内樋６５を一体に有しており、これら案内樋６４，６５は夫々、遊技球案内溝６４ａ，６５ａを有している。
【００５６】
球受け部材Ｒ２の案内樋６４は、その前面にシール１１０が貼付されており、遊技球案内溝６４ａの上側には、磁気等を検出媒体として金属製の遊技球Ｂａの通過を検知する近接スイッチから構成されて第１ステージＳ１への遊技球Ｂａの導入を検知する第１ステージ導入検知センサ８２が位置決め固定されている。この第１ステージ導入検知センサ８２は、第２クルーン３４の貫通孔３７から導入されて遊技球案内溝６４ａに落下する遊技球Ｂａを通過させる通過孔８２ａを有している。
【００５７】
前枠８３ａにおける射出窓４０の背面側には、透明材料からなる飾りレンズ部材８８が位置決め固定されている。該飾りレンズ部材８８の内方空間８８ａには、多数のＬＥＤ８９が実装された電飾基板８６が挿入配置される。また、飾りレンズ部材８８の開口１１側（図２参照）に向いた外側面にはシール８７が貼付される。
【００５８】
後枠８３ｂは、センター飾り１２のワープ導入口３２から導入された遊技球Ｂａが進入する進入孔７９と、該進入孔７９から進入した遊技球Ｂａを自重落下させるべき垂直方向案内溝６７（図３参照）の前壁を構成する壁部６７ａと、該壁部６７ａの最下部に形成された放出口５６（図３参照）と、該放出口５６の下方に位置して、球受け部材Ｒ１の遊技球案内溝６２ａ及び６３ａに夫々連通すべき連通口１１３及び９０とを備えている。後枠８３ｂは更に、第１クルーン３３の貫通孔３５から連通口１１３に導入された遊技球Ｂａを第２クルーン３４上に放出すべき放出口５７（図３参照）と、第２クルーン３４の貫通孔３７に落下した遊技球Ｂａを球受け部材Ｒ２の遊技球案内溝６４ａから受けて第１ステージＳ１に送るための球連絡孔９１と、連通口９０に導入された遊技球Ｂａを第２ステージＳ２上に排出する排出口６６とを備えている。
【００５９】
前枠８３ａと後枠８３ｂ間には、前枠８３ａ及び後枠８３ｂの相互間に位置決め固定されて、電飾基板８６のＬＥＤ８９による光照射を反射して第１及び第２クルーン３３，３４等を効果的に照明するための上側反射板８４及び下側反射板８５が固定される。
【００６０】
次いで、図６ないし図９に沿って、第１及び第２クルーン３３，３４をより詳細に説明する。なお、これら両クルーン３３，３４は相互に同じ構成を有するため、ここでは第１クルーン３３の構成のみを説明し、基本的に第２クルーン３４の説明は省略することとする。
【００６１】
すなわち、第１クルーン３３は、図７に示す上下左右の位置関係を保持した状態で遊技球ステージＳ右側の振り分け装置２５に位置決め固定（図４参照）されるように構成されており、突起７８を中心とした平面視真円状の転動案内面３３ａと、この転動案内面３３ａの図７における左右幅方向の一側と他側に位置する貫通孔３５，３６と、遊技球ステージＳの奥側（図７の上側）に延びる傾斜案内面５８と、傾斜案内面５８の周囲を互いに直交する形で覆う側壁３３ｃ，３３ｄ，３３ｅと、側壁３３ｄから延びて転動案内面３３ａの周囲を円筒状に覆う側壁３３ｂとを有している。なお、貫通孔３６の内径ｄ２が貫通孔３５の内径ｄ１より若干大きく形成されている。具体的には、遊技球は通常、直径（外径）が１２［ｍｍ］に設計されており、従って、貫通孔３５の内径ｄ１は１２．５〜１３［ｍｍ］に、また貫通孔３６の内径ｄ２は１３〜１３．５［ｍｍ］に設定されることが好ましい。
【００６２】
図６に示すように、傾斜案内面５８は、同図上方から落下して側壁３３ｃの内側で受け止めた遊技球Ｂａを転動案内面３３ａに向けて転動移動できるように、全体的に転動案内面３３ａから所定高さの段差５８ｃ以上の高さを有するように設計されている。当該第１の案内面５８ａは、側壁３３ｃの内側で受け止めた遊技球Ｂａを側壁３３ｄ側に寄せつつ転動案内面３３ａに向けて転動移動させ得るように、側壁３３ｄ側と転動案内面３３ａ側に同時に傾斜する第１の案内面５８ａと、この第１の案内面５８ａに連続して転動案内面３３ａ側に傾斜しつつ細く延び、かつ側壁３３ｄ側に第１の案内面５８ａ以上に傾斜する第２の案内面５８ｂとを有している。
【００６３】
上側の第１クルーン部材３３は、下側の第２クルーン３４にワープ導入口３２からの遊技球Ｂａを送るための貫通孔３５と、ワープ導入口３２からの遊技球Ｂａを低確率入賞ルートに送るための貫通孔３６とを、中心Ｃ（図８参照）を挟んで対向する形で有している。また、第２クルーン３４は、第１クルーン３３からの遊技球Ｂａを高確率入賞ルートに送るための貫通孔３７（図２参照）と、第１クルーン３３からの遊技球Ｂａを低確率入賞ルートに送るための貫通孔３８（図２参照）とを、中心Ｃ（図８参照）を挟んで対向する形で有している。
【００６４】
第１クルーン３３は、図６及び図７に示すように、貫通孔３５と貫通孔３６との間の接続部８０の中央に位置して鉛直方向上方に突出する上記突起７８を有しており、この突起７８を貫通孔３５，３６の夫々に向かって傾斜する傾斜面６９と、転動案内面３３ａから当該傾斜面６９に向かって傾斜する傾斜面６８とを有している。傾斜面６８は、傾斜案内面５８に受け止められて（図７の二点鎖線Ｂａ１参照）転動案内面３３ａの円筒状の内面に沿って転動する遊技球（図７の二点鎖線Ｂａ２参照）が転動案内面３３ａの中心側に至った際（図７の二点鎖線Ｂａ３参照）、この遊技球Ｂａ３を、貫通孔３５，３６のいずれかに進入し易くなるように案内する。そして突起７８は、当該進入時、例えば貫通孔３６側に入球しようとしながらも貫通孔３５側に流れそうになる遊技球Ｂａ３を、そのまま貫通孔３６側に入球させるように補助する機能を有する。この機能は、貫通孔３５側から貫通孔３６側への移動時にも同様に働くことは言うまでもない。
【００６５】
第１クルーン３３では、所定寸法（例えば１８０〜２００［ｍｍ］の範囲内）の半径を有する球体の一部をカットした球面形状を転動案内面３３ａとして用いている。このため、突起７８は、当該球面形状の中心に位置する突起７８の一側及び他側に並ぶように形成された貫通孔３５，３６夫々の側壁３３ｂ側と突起７８側との段差の存在に起因した、貫通孔３５，３６間での上述の遊技球流れを補助し得る程度の高さ寸法（例えば２〜４［ｍｍ］の範囲内）に設定されている。なお、貫通孔３５，３６間での上述の遊技球流れを、逆に遊技性として捉える場合には、図９に示す変形例のように、突起７８を除去して構成することもできる。或いは、別の遊技性の観点から勘案する場合、突起７８はそのまま残存させ、傾斜面６９を単なる平坦面として、貫通孔３５，３６間を連絡するだけの構成とすることもできる。
【００６６】
図８に示すように、第１及び第２クルーン３３，３４は夫々、第２振り分け孔３６，３８における中心Ｃ側の縁部３６ｂ，３８ｂと中心Ｃと逆側の縁部３６ａ，３８ａとを結ぶ直線と水平方向線Ｈとでなす角度α１が、貫通孔３５，３７における中心Ｃ側の縁部３５ｂ，３７ｂと中心Ｃと逆側の縁部３５ａ，３７ａとを結ぶ直線と水平方向線Ｈとでなす角度α２より大きくなるように転動案内面３３ａ，３４ａが全体的に所定角度（例えば０．３〜０．５［゜］の範囲内）だけ傾斜するように位置決めされて形成されている。
【００６７】
即ち、第１及び第２クルーン３３，３４は夫々、球面状の底面を遊技球Ｂａの転動案内面３３ａ，３４ａとして備えると共に、転動案内面３３ａ，３４ａの中心Ｃに関する点対称の位置となるように貫通孔３５と３６及び貫通孔３７と３８を備え、かつこれら貫通孔の一方３６，３８への入球率を高めるように当該一方の貫通孔３６，３８側が他方の貫通孔３５，３７側よりも垂直方向（図８の上下方向）に高く位置するように転動案内面３３ａ，３４ａが傾斜して位置決めされている。
【００６８】
つまり、図７を参照すると理解できるように、第１クルーン３３は、傾斜案内面５８側から転動して側壁３３ｂの内周面に沿って転動してくる遊技球Ｂａ３を、第２ステージＳ２に導く貫通孔３６側に進入し易くする目的から、図３に示す装着状態において転動案内面３３ａの同図右側が所定寸法だけ同図左側より鉛直方向に高くなるように、予め側壁３３ｂ，３４ａ等に対する相対位置が定められた形で製作されている。当該構造が第２クルーン３４においても同様であることは言うまでもない。
【００６９】
なお、本実施形態においてセンター飾り１２は、第１のステージＳ１を備えて始動チャッカー１６への入賞確率が比較的高い第１入賞ルートと、第２のステージＳ２を備えて比較的低い第２入賞ルートとを具備しており、上記貫通孔３６，３８が、転動案内面３３ａ，３４ａ上で転動する遊技球Ｂａを上記第２入賞ルートに導くように構成される。
【００７０】
また、図２及び図３に示すように、センター飾り１２における開口１１の右端部には、振り分け装置２５の左端部にあって上下方向（鉛直方向）に延設された照明装置３９が配置されている。この照明装置３９は、長手方向に沿って一定間隔で配置された状態で前方を向く複数の射出窓４０を備えると共に、これら射出窓４０より少数で長手方向に沿って配置された不図示の射出窓を備えている。射出窓４０は、遊技者に対し光照射して種々の演出を行うためのものであり、不図示の上記射出窓は、振り分け装置２５側に光照射して第１及び第２クルーン３３，３４及びその近傍を照明するためのものである。
【００７１】
次に、本発明の特徴となる押出部材（板状部材）９６を含む遊技球案内部９７について図１０ないし図１６に沿って説明する。
【００７２】
図１０に示すように、センター飾り１２を構成する枠体１２ａは、枠体１２ａの上部及び左右側部を背面側から支持する背面支持部材１１４と、転動面７１を有して枠体１２ａの下部を背面側から支持する背面下部支持部材１１５とからなる。図１０においては、背面支持部材１１４と背面下部支持部材１１５とが接合された状態を示している。
【００７３】
背面支持部材１１４は、下方に向かって開口する略コの字状を有し、その周囲からは外に張り出すようにブラケット部１１６が形成されると共に、このブラケット部１１６の上部及び左右側部に設けられた表裏貫通した孔１１７により枠体１２ａに背面側からネジ止めされる。背面支持部材１１４の矢印Ａ側から向かって左側部には、センター飾り１２の前方に向けて光照射するＬＥＤ１１８が、縦方向（上下方向）に３つの区画に分けて配置されている。
【００７４】
また、背面支持部材１１４の矢印Ａ側から向かって右側部には、図５に示した後枠８３ｂが接合される。右側部の上段には、後枠８３ｂの壁部６７ａと落下通路９８を形成する遊技球案内部９７が設けられ、その内面には突部１００ａ〜１００ｆが配置されている（図１３も併せて参照）。右側部の中段左には、第１クルーン３３の貫通孔３５から連通口１１３に導入された遊技球Ｂａを第２クルーン３４へ落下移動させる落下通路１１９と、中段右には、貫通孔３６から連通口９０に導入された遊技球Ｂａを第２ステージＳ２へ落下移動させる落下通路１２０とが設けられている。更に右側部の下段には、第１クルーン３３の貫通孔３５から連通口１１３に導入された遊技球Ｂａを第２クルーン３４上に放出すべき放出口５７と連結する連結部５７ａと、第２クルーン３４の貫通孔３７に落下した遊技球Ｂａを第１ステージＳ１に送るための球連絡孔９１と連結する連結部９１ａとが設けられている。
【００７５】
背面下部支持部材７９は、その背面側上部が複数の突部４３を有する側壁４１になっており、その前面側は第１のステージＳ１の転動面７１であり、更にその転動面７１の左側端部には球導入口４５が設けられている。そして、表裏貫通したネジ止めするための円筒形状の孔１２１を有し、これにより枠体１２ａに背面側からネジ止めされる。
【００７６】
一方、上記した遊技球案内部９７は、センター飾り１２の正面視において第１クルーン３３の直ぐ左上に位置決め固定されるように構成されており、遊技球案内部９７の内面上方から下方に向かって左右側部交互に半円筒形状の突部１００ａ〜１００ｅと、上面側を曲面状に面取りした略直方体をなす突部１００ｆと、遊技球案内部９７の背面を支持する後述の壁部１０１（図１１参照）と、壁部１０１の下方に設けられた押出部材９６とを有している。また、図５に示したように、第１クルーン３３の傾斜案内面５８が、垂直方向案内溝６７の下方に位置する放出口５６から嵌入されることにより、傾斜案内面５８が遊技球案内部９７の直下方に設置される。
【００７７】
そして、遊技球案内部９７は、壁部６７ａ及び壁部１０１とによって支持される落下通路９８を介して、ワープ導入口３２から導入される遊技球Ｂａを第１クルーン３３の傾斜案内面５８まで案内する。落下通路９８は、第１クルーン３３の上方に遊技球Ｂａが垂直落下するように形成され、その内側の左右側部には突部１００ａ〜１００ｆが配置されている。突部１００ａ〜１００ｆは、各側部に配置される高さが左右同じにならないように互い違いに位置し、それらのうち隣り合う突部同士が夫々に所定のピッチを有するように形成されている。これは、各突部と同じ高さの逆側の側部平面との間に遊技球Ｂａを通過させるためで、具体的には、落下通路９８の幅を１３〜１３．５［ｍｍ］の範囲内とした場合に、各突部の高さは０．４〜０．８［ｍｍ］の範囲内とするのが好ましい。これにより、ワープ導入口３２から導入された遊技球Ｂａは、落下通路９８を落下する際、突部１００ａ〜１００ｆに左右に振られるように確実に当接して、その際に摩擦力や反力等を受けることで速度が効果的に抑制される。
【００７８】
一方、第１クルーン３３の傾斜案内面５８への出口となる遊技球案内部９７の下方には、押出部材９６（図１１参照）と突部１００ｆとが形成されている。押出部材９６は、直方体状の薄い（例えば突部１００ｅの半円筒における半径寸法）板部材であり、図１２に示すように、壁部１０１の下方に階段状となるように設けられている。落下通路９８を落下してきた遊技球Ｂａは、この押出部材９６に当接することで落下速度が抑制され、更に階段状となっている直方体の厚みによって図１３の正面視において手前側に押し出される。これによって、遊技球Ｂａは、傾斜案内面５８上に円滑に導入され、第１クルーン３３に対して遊技球Ｂａが高速で供給されることで第１クルーン３３上での転動動作が損なわれることを防止し、遊技者の集中力を欠くことのない遊技を実現させて継続させることができるようになる。
【００７９】
また、落下通路９８を落下してきた遊技球Ｂａは、落下通路９８の奥行き方向に対してその奥側が押出部材９６に当接され、手前側に設けられた開放部５６から開放される。これにより、遊技球Ｂａが略同時に複数落下してきた場合にあっても、落下してきた順に押出部材９６によって押し出されつつ開放部５６から開放されるため、複数の遊技球Ｂａが前後に並んだ状態で開放部５６に集中した場合にあっても球つまりを起こすことがなく、遊技の進行に影響を及ぼすことがなくなる。
【００８０】
また、突部１００ｆは、他の突部１００ａ〜１００ｅのような円筒形状をしておらず、上面を曲面状に面取りした略直方体をなしており、落下通路９８の下方の正面視において右側の側部に形成されている。この突部１００ｆは他の各突部と同様、落下通路９８を落下してくる遊技球Ｂａに当接されることで、その落下速度を抑制させる機能を持つと共に、遊技球Ｂａを左側に押し出す（図１３，１４参照）ことで傾斜案内面５８の第１の案内面５８ａの傾斜に沿わせるように遊技球Ｂａを導入させる機能も併せ持つ。
【００８１】
したがって、本実施形態におけるパチンコ機１では、皿ユニット１３上に遊技球Ｂａが滞留している状態にて、遊技者が発射ハンドル９を握って図１の時計回り方向に適宜の角度回動させて保持すると、不図示の発射装置の作動によって遊技球Ｂａが遊技領域７ａに向けて打ち出される。すると、ガイドレール１０から遊技領域７ａ上に放出された多数の遊技球Ｂａのうち、一部がワープ導入口３２から入球される。
【００８２】
そして、ワープ導入口３２から導入された遊技球Ｂａは、案内溝７４（図３）を通って垂直方向案内溝６７が有する壁部６７ａと壁部１０１とに挟まれて構成される遊技球案内部９７を落下する。ここで遊技球Ｂａは、遊技球案内部９７が有する落下通路９８内に所定のピッチで左右交互に設けられた突部１００ａ〜１００ｆに順に当接しながら落下をすることで減速し、その際の摩擦力や反力を受けることにより落下速度が抑制される。更に、遊技球Ｂａは、上記した突部１００ａ〜１００ｅに当接しながら落下した直後、突部１００ｆと略同時に遊技球案内部９７の下方に設けられている押出部材９６にも当接する。遊技球Ｂａは、この押出部材９６に当接することによって突部１００ａ〜１００ｆに当接したときと同様、その際の摩擦力や反力を受けることで、その落下速度が確実に抑制される。
【００８３】
ここで、押出部材９６が設けられている遊技球案内部９７の下方側の構造について補足しつつ遊技球Ｂａの動作を説明する。
【００８４】
図１５に示すように、直径ｄ（前述したように、通常は、１２［ｍｍ］）の遊技球Ｂａが漸く通過可能な落下通路９８を鉛直方向ｖ１に落下してくると、遊技球Ｂａの奥側が押出部材９６の上辺９６ａに当接する。このとき、押出部材９６の上辺９６ａが壁部６７ａの下端と略同じ高さ以上ある場合には通路幅（図１５の左右方向）は距離（幅寸法）ｂとなり、遊技球Ｂａはこの距離ｂの間を通り抜けることができなくなる。しかし、本発明においては、図１５に示すように、押出部材９６の上辺９６ａが、壁部６７ａの下端から距離ａだけ下方に逃がすように設計されており、遊技球Ｂａは押出部材９６の上辺９６ａと壁部６７ａの下端との間をこれら両者（９６ａ，６７ａ）に当接しながら通り抜け、放出口５６の方へ転動自在となっている。
【００８５】
なお、上記した距離ａを決定する際には、次式（１）に示すように、遊技球Ｂａの直径ｄの２乗から、壁部６７ａ後面（即ち裏面）と押出部材９６前面との間の距離ｂの２乗を減じた値の平方根をとった値ａを求め、この値ａ以上の寸法を満足する（例えば、ａに０．５〜１．５［ｍｍ］を加算した値）ように設定し、遊技球Ｂａが落下速度を抑えられつつ円滑に放出されるものを選択すればよい。
【００８６】
ａ＝（ｄ2−ｂ2）1/2…(1)
【００８７】
そして、遊技球Ｂａが押出部材９６の上辺９６ａに摺れながら当接し、速度ｖ´に減速して壁部６７ａの下端の高さを通り抜けると、遊技球Ｂａは押出部材９６の厚さ分だけ前側（図１５における左側）に押し出された状態で傾斜案内面５８に着地し、第１クルーン３３が設けられている矢印ｈの方向へ放出口５６から放出される。これにより、落下速度が減速された遊技球Ｂａは、落下してきた順に押出部材９６によって押し出されつつ放出口５６から放出されるため、複数の遊技球Ｂａが前後に並んだ状態で放出口５６に集中した場合にあっても球つまりを起こすことがなく、遊技の進行を損なうことがなくなる。
【００８８】
なお、上述した押出部材９６は直方体をなす板部材として説明を行ったが、図１６に示すような、押出部材（階段状板部材）１０２として示す形状を有していてもよい。この押出部材１０２は、落下通路９８の長手方向に沿って段階的に厚みが厚くなる階段状となっているため、遊技球Ｂａがワープ導入口３２から導入されて落下してきた際に、その階段状部分に段階的に当接する。これにより、遊技球Ｂａは徐々に速度が抑制されつつ前側（図１６の左側）に押し出され、放出口５６から放出される。すなわち、複数の遊技球Ｂａは、その落下してきた順に押出部材９６によって前側に押し出されつつ放出口５６から放出されるため、球つまりが生じにくくなる。
【００８９】
また、遊技球Ｂａは、突部１００ｆによって傾斜案内面５８の有する傾斜、すなわち側壁３３ｄ（図７参照）側に遊技球Ｂａを寄せる傾斜に沿わせるように押し出されつつ放出口５６から放出される。これによって、遊技球Ｂａは第１クルーン３３に略一定した速度で円滑に導入されるようになるので、第１クルーン３３の演出の機能に従った動作が安定的に行なわれるようになる。そして、第１クルーン３３上の遊技球Ｂａは、摩擦抵抗等に起因して転動速度が弱まった段階で、球面状に形成されて低くなっている中心部分に導かれ、貫通孔３５，３６のいずれかに落下する。
【００９０】
貫通孔３５に落下した場合、遊技球Ｂａは、案内樋６２から傾斜案内面（図示せず）を経由して第２クルーン３４上の側壁３４ｂ内（図７参照）に放出され、この側壁３４ｂの内面に沿って回転するように転動する。そして、第２クルーン３４上の遊技球Ｂａは、摩擦抵抗等に起因して転動速度が弱まった段階で、第１クルーン３３と同様形状の中心部分に導かれ、貫通孔３７，３８のいずれかに落下することとなる。
【００９１】
一方、第１クルーン３３の貫通孔３６に落下した場合、遊技球Ｂａは、案内樋６３から排出口６６を経由して第２のステージＳ２に向けて放出され、この第２のステージＳ２をその傾斜に沿って図２の左方向に、複数の凸部４７に任意に当接しつつ転動し、最後端の凸部４７Ａに適切な角度で当接する等の偶然的な要件を満たした場合、球導入口４９に導入されて球放出口５３から始動チャッカー１６に入賞し、或いは球導入口４９に入球できずに落下案内溝５２から下方のスルーゲート６１ａに向けて落下されることとなる。なお、球導入口４９に導入された場合であっても、障害釘７０への当接状況により始動チャッカー１６に入賞できない場合があることは言うまでもない。
【００９２】
第２のステージＳ２を遊技球Ｂａが転動する途中、転動面７２では各凸部４７の中心部４７ａに対応するＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００９３】
そして、第２クルーン３４において貫通孔３７に落下した場合、その遊技球Ｂａは、案内樋６４を介して第１のステージＳ１の最右端部に放出され、転動面７１の傾斜に沿って、その進行方向の左右に位置して突出する転動速度抑制用の複数の突部４３に交互に当接しながら緩やかに転動移動する。そして、最後部にて球導入口４５に入球して球放出口５３から始動チャッカー１６に入賞することとなる。この際も、球導入口４９に導入されても始動チャッカー１６に入賞できない場合があることは言うまでもない。第１のステージＳ１を遊技球Ｂａが転動する途中、側壁４１，４２に埋め込まれたＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００９４】
なお、第２のステージＳ２から落下する遊技球Ｂａは、その落下方向が、始動チャッカー１６上の一対の障害釘７０の間を通過して入球し得る方向と異なるとしても、当該障害釘７０の左右に打ち込まれた不図示の所謂ジャンプ釘や、当該ジャンプ釘から左右方向に配列された道釘（図示せず）で弾かれることにより、所謂命釘である障害釘７０に絡んでその間を落下して始動チャッカー１６に入球することもある。
【００９５】
以上説明した本実施形態によると、ワープ導入口３２から導入された遊技球Ｂａは、遊技球案内部９７の下方に設けられた押出部材９６に当接した後に放出口５６から放出されるので、遊技球Ｂａはその落下速度が抑制された後の適度な速度で第１クルーン３３に導入されるようになる。これにより、遊技球Ｂａが第１クルーン３３に対して必要以上の速さで供給されることで第１クルーン３３の転動動作が不安定になることを防止し、遊技者の集中力を欠くことなく遊技を継続させることができるようになる。
【００９６】
また、ワープ導入口３２から導入された遊技球Ｂａは、遊技球案内部９７の下方に設けられた押出部材９６に当接し、押出部材９６の厚さ分だけ前側に押し出されつつ放出口５６から放出されるので、複数の遊技球が前後に並んだ状態で放出口５６に集中した場合にあっても遊技球Ｂａが落下してきた順に放出されることで球つまりを起こすことがなく、遊技の進行に影響を及ぼすことがなくなる。
【００９７】
また、ワープ導入口３２から導入された遊技球Ｂａは、遊技球案内部９７の下方に設けられた押出部材９６に一旦当接し、その速度が抑制された後で放出口５６から放出されるので、遊技球Ｂａの落下によって放出口５６の床面に設けられた傾斜案内面５８に直接落下衝撃を与えることがなくなり、その落下衝撃が積み重なることに起因して生じる傷や亀裂等の劣化を防止することができるようになる。
【００９８】
また、遊技球案内部９７内における落下通路９８の奥行き方向の通路幅が遊技球Ｂａの直径と略等しく構成されるので、落下してくる遊技球Ｂａが確実に押出部材９６に当接するため、遊技球Ｂａの落下速度が確実に抑制され、適度な速度で第１クルーン３３に導入されるようになり、第１クルーン３３の機能に従った動作をさせることができるようになる。
【００９９】
また、押出部材９６が、落下通路９８の長手方向に沿って段階的に厚みが厚くなる階段状となっており、落下してくる遊技球Ｂａが確実に押出部材９６に当接し、更に落下通路９８の前側に設けられた放出口５６から遊技球Ｂａが放出され易くなるので、遊技球Ｂａの落下速度が段階的に徐々に抑制されると共に遊技球Ｂａが第１クルーン３３に適度な速度で順次円滑に送り出され、第１クルーン３３の機能に従った動作をさせることができるようになることで、遊技者の集中力を欠くことなく遊技を継続させることができるようになる。
【０１００】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１０１】
【図１】本発明に係る実施の形態におけるパチンコ機（遊技機）の外部構造を示す正面図である。
【図２】当該パチンコ機に搭載されたセンター飾り（ユニット役物）を単体で示す斜視図である。
【図３】当該センター飾りを示す正面図である。
【図４】図３に示したセンター飾りを同図A-A線に沿って切断して上方から見た状態で示す平面図である。
【図５】振り分け装置の詳細な構造を示す分解斜視図である。
【図６】センター飾りに備えた振り分け装置のクルーンを拡大して示す斜視図である。
【図７】図６のクルーンを上方から見た状態で示す平面図である。
【図８】クルーンの側面断面図である。
【図９】クルーンの変形例を示す斜視図である。
【図１０】遊技球案内部を有するセンター飾りの分解斜視図である。
【図１１】センター飾りに備えた遊技球案内部を拡大して示す正面図である。
【図１２】センター飾りに備えた遊技球案内部を拡大して示す斜視図である。
【図１３】センター飾りに備えた遊技球案内部を遊技球が通過している状態を拡大して示す正面図である。
【図１４】センター飾りに備えた遊技球案内部を遊技球が通過している状態を拡大して示す斜視図である。
【図１５】落下通路に備えた押出部材を示す断面図である。
【図１６】落下通路に備えた押出部材の変形例を示す断面図である。
【符号の説明】
【０１０２】
１：パチンコ機（遊技機）
７ａ：遊技領域
１２：センター飾り（ユニット役物）
１６：始動チャッカー（入賞口）
２５：振り分け装置
３２：ワープ導入口
３３：第１クルーン（クルーン部材）
５６：放出口（開放部）
５８：傾斜案内面（案内面）
９６：押出部材（板状部材）
９７：遊技球案内部
９８：落下通路
１０２：押出部材（階段状板部材）
Ｂａ：遊技球
Ｓ：遊技球ステージ
ｂ：距離（幅寸法）
ｄ：直径
ｖ１：鉛直方向
【図１】
2006122276.tif 000003
【図２】
2006122276.tif 000004
【図３】
2006122276.tif 000005
【図４】
2006122276.tif 000006
【図５】
2006122276.tif 000007
【図６】
2006122276.tif 000008
【図７】
2006122276.tif 000009
【図８】
2006122276.tif 000010
【図９】
2006122276.tif 000011
【図１０】
2006122276.tif 000012
【図１１】
2006122276.tif 000013
【図１２】
2006122276.tif 000014
【図１３】
2006122276.tif 000015
【図１４】
2006122276.tif 000016
【図１５】
2006122276.tif 000017
【図１６】
2006122276.tif 000018